(57)【特許請求の範囲】
【請求項１】
断熱筐体になるキャビネットの商品収納庫内に配した冷却器とキャビネット底部側の機械室内に配した冷凍機のコンデンシングユニットとの間に配管する冷媒パイプを、商品収納庫の底壁前縁に切欠き形成した凹状の配管溝を通じて引回し配管した自動販売機の冷却ユニットであって、
冷媒パイプにクッション部材を巻き付けて前記配管溝を通すようにするとともに、そのクッション部材を冷媒パイプに巻き付ける帯状の軟質クッション材と、該軟質クッション材の外側に半硬質クッション材を貼り合わせた二層構造の部品となし、該クッション部材を冷媒パイプに巻き付けた上で配管溝に嵌入し、この位置で外側の半硬質クッション材を配管溝の内面に貼り付けて固定した自動販売機の冷却ユニット配管構造において、
クッション部材は、軟質クッション材が半硬質クッション材よりも寸法が長く、かつ半硬質クッション材の外面にあらかじめ接着剤が塗布されていることを特徴とする自動販売機の冷却ユニット配管構造。
【発明の詳細な説明】
【０００１】
【発明の属する技術分野】
本発明は、缶，びん商品販売用の自動販売機に装備した冷却ユニットの冷媒パイプの配管構造に関する。
【０００２】
【従来の技術】
まず、本発明の実施対象となる自動販売機の構成を図２，図３に示す。各図において、１は鋼板製の内箱と外箱の間に断熱材（発泡樹脂）を充填した断熱筐体としてなる前面開放形のキャビネット、２は前面外扉、３は商品取出口、４は断熱内扉であり、キャビネット１の庫内上部には中仕切壁１ａを挟んで左右に並ぶ複数の商品収納室を画成した上で、各室ごとにサーペンタイン式商品収納ラック５，商品搬出シュータ６，および冷却／加熱装置７が収設されている。この冷却／加熱装置７は、冷却器（冷凍機のエバポレータ）８と電熱ヒータ，庫内ファンを組合せて風胴で覆った構成になり、キャビネット１の庫内背面に敷設した背面ダクトに連ねて商品収納庫の底壁１ｂの上に設置されている。また、キャビネット１の底部側には前記底壁１ｂを隔壁として機械室を区画し、この機械室内に冷凍機のコンデンシングユニット９を据付けている。
【０００３】
かかる構成で、ホット，コールド商品の販売モードに合わせて冷却／加熱装置７の冷却器８，もしくは電熱ヒータを運転すると、ファンの送風により庫内には冷気，もしくは暖気が循環通風し、商品収納ラック５に収納した商品を冷却，もしくは加熱する。また、販売指令が与えられると、商品収納ラック５のベンド機構が作動して商品を払出し、シュータ６を経て外扉２に開口する商品取出口３に搬出されることは周知の通りである。
【０００４】
次に、商品収納庫の庫内底部に配した前記冷却／加熱装置７の冷却器８と機械室内に配した冷凍機のコンデンシングユニット９との間に配管する冷媒パイプの配管構造を図４(a),(b) に示す。すなわち、１０は冷却器９と冷凍機コンデンシングユニット９との間に配管した冷媒パイプ（冷媒が通流する銅パイプの外周に断熱材が巻き付けてある）であり、該冷媒パイプ１０は断熱内扉４（図２参照）との不要な干渉を避けるために、底壁１ｂの前縁に切欠き形成した凹状の配管溝１ｃの中を通して前方にはみ出さないように引回し配管されている。なお、１１は断熱内扉４に対向して底壁１ｂ前縁に沿って敷設したガスケットである。
【０００５】
また、かかる配管構造においては、前記の配管溝１ｃとここを通す冷媒パイプ１０との間に隙間を塞いで庫内の冷気が機械室側に漏れるのを防ぐようにしており、その封止手段として従来では冷媒パイプ１０を配管してガスケット１１を取付けた後に、冷媒パイプ１０と配管溝１ｃ，ガスケット１１との間に残存する隙間にパテなどの詰め物を充填して隙間を断熱的に塞ぐようにしている。
【０００６】
【発明が解決しようとする課題】
ところで、前記した冷媒パイプ１０の配管構造では、キャビネット１の底壁１ｂに形成した凹状の配管溝１ｃと冷媒パイプ１０との間の隙間封止作業に関して従来の配管構造では次記のような問題点がある。すなわち、
(1) パテなどの詰め物を充填するには手間が掛かって作業能率が低い。
【０００７】
(2) プレス加工により配管溝１ｃを切欠き形成した底壁１ｂの鋼板の縁は鋭利でバリなども残っている。このために、隙間封止作業の際に冷媒パイプ１０を通す位置が片寄って配管溝１ｃの縁に当たって擦られたりすると、冷媒パイプに巻き付けた断熱材が傷付いて破けてしまうトラブルが発生する。
(3) さらに、詰め物の充填が不完全で隙間が残っていると、自動販売機の保冷運転中にこの隙間を通じて庫内側の冷気が外部に漏れて熱損失となる。
【０００８】
一方、前記問題の対策として、パテの代わりに帯状の軟質クッション材を冷媒パイプ１０に巻き付け、さらにその外側に保護用の半硬質なクッション材を重ねた上で、配管溝１ｂ中に押し込んで接着剤で固定する組立方法を試みたが、作業の工数が増すほか、クッション材の無駄な破材が多量に発生し、さらに接着剤の貼り付け作業にばらつきがあって安定した品質が確保できないことが判った。
【０００９】
そこで、本発明は前記課題を解決し、簡単な組立作業で、しかも安定した隙間封止が確保できるように改良した冷却ユニットの配管構造を提供することを目的とする。
【００１０】
【課題を解決するための手段】
上記目的を達成するために、本発明によれば、断熱筐体になるキャビネットの商品収納庫内に配した冷却器とキャビネット底部側の機械室内に配した冷凍機のコンデンシングユニットとの間に配管する冷媒パイプを、商品収納庫の底壁前縁に切欠き形成した凹状の配管溝を通じて引回し配管した自動販売機の冷却ユニットであって、冷媒パイプにクッション部材を巻き付けて前記配管溝を通すようにするとともに、そのクッション部材を冷媒パイプに巻き付ける帯状の軟質クッション材と、該軟質クッション材の外側に半硬質クッション材を貼り合わせた二層構造の部品となし、このクッション部材を冷媒パイプに巻き付けた上で配管溝に嵌入し、この位置で外側の半硬質クッション材を配管溝の内面に貼り付けて固定するものとし、また、前記クッション部材は、軟質クッション材を半硬質クッション材よりも長くし、かつ半硬質クッション材の外面にあらかじめ接着剤を塗布して構成するのがよい
【００１１】
上記のクッション部材は、あらかじめ所定の長さ寸法に裁断して軟質クッション材と半硬質クッション材を貼り合わせ、かつ半硬質クッション材の外面に接着剤を塗布（接着剤の表面には簡単に剥がれる保護テープを貼り付けておく）して作製した部品として用意されたものであり、キャビネットに冷却ユニットを組付ける組立工程では、前記クッション部材を冷媒パイプに巻き付け、半硬質クッション材の接着剤保護テープを剥がした上でキャビネット側の配管溝に押し込むだけの簡単な作業で定位置に固定できる。しかも、冷媒パイプおよび軟質クッション材は外側の半硬質クッションにより保護されているので、底壁鋼板の鋭利な剪断面に擦られて傷が付いたり破けたりするおそれもなく、半硬質クッション材を配管溝の内面に密着させて冷媒パイプとの間の隙間を軟質クッション材で確実に封止することができ、これにより作業能率の向上とともに、安定した品質が確保できる。
【００１２】
【発明の実施の形態】
以下、本発明の実施の形態を図１(a) 〜(c) に示す実施例に基づいて説明する。なお、実施例の図中で図４に対応する部材には同じ符号を付してその詳細な説明は省略する。
すなわち、図４に示した配管構造の組立工程で、キャビネットの底壁１ｂの前縁に切欠き形成した凹状の配管溝１ｃを通して冷凍機のコンデンシングユニット９と商品収納室内に配した冷却器８との間に冷媒パイプ１０を引回し配管する際には、あらかじめ完成部品として用意しておいたクッション部材１２を使い、このクッション部材を冷媒パイプ１０に巻き付けた上で、配管溝１ｃの中に押し込んで固定する。
【００１３】
ここで、クッション部材１２は、スポンジ材などで作られた帯状の軟質クッション材１２ａと、これに貼り合わせた可撓性のある半硬質クッション材（プラスチック材）１２ｂとからなり、かつ半硬質クッション１２ｂの外面にはあらかじめ接着剤が塗布れさていて、その表面が簡単に剥がれる保護テープ（図示せず）で覆われている。また、図１(a) で示すように、軟質クッション材１２ａは半硬質クッション１２ｂよりも長い寸法に定めてその一端が半硬質クッション１２ｂの端部から長手方向にはみ出すようにしている。
【００１４】
そして、冷凍機のコンデンシングユニット９から引出した冷媒パイプ１０を庫内側に配した冷却器８に配管接続する組立工程では、キャビネット側の底壁１ｂに形成した配管溝１ｃの位置に合わせて、図１(b) のように冷媒パイプ１０にクッション部材１２を巻き付け、ここで前記した接着剤の保護テープを剥がした上でクッション部材１２を冷媒パイプ１０と一緒に配管溝１ｃの中に押し込んで半硬質クッション１２ｂを配管溝１ｃの内面に貼り付ける。その後に底壁１ｂの前縁にガスケット１１を取付けて固定する。
【００１５】
この組立状態では、図１(c) で表すようにクッション部材１２の半硬質クッション材１２ｂが配管溝１ｂの内面に密着し、冷媒パイプ１０の周域が軟質クッション材１２ａで埋め尽くされ、さらにその前部がガスケット１１により押圧された状態で定位置に固定される。これにより、配管溝１ｃとこの溝内を通す冷媒パイプ１０との間の隙間を簡単な作業でクッション部材１２により完全に封止することができる。
【００１６】
【発明の効果】
以上述べたように、本発明によれば、冷媒パイプに巻き付ける帯状の軟質クッション材と、該軟質クッション材の外側に半硬質クッション材を貼り合わせた二層構造の部品になるクッション部材を用意し、冷却ユニットの組立工程では前記クッション部材を冷媒パイプに巻き付けた上で配管溝に嵌入し、この位置で外側の半硬質クッション材を配管溝の内面に貼り付けて固定するよう構成したことにより、簡単な作業でキャビネット側の配管溝とこの中を通す冷媒パイプとの間の隙間をクッション部材で確実に封止することができ、これにより作業能率の向上とともに、安定した品質が確保できる。
【図面の簡単な説明】
【図１】本発明実施例の要部構成図であり、(a) はそれぞれクッション部材を冷媒パイプに巻き付ける以前の段階，(b) はクッション材を冷媒パイプに巻き付けた状態を表す斜視図、(c) は配管溝内に組付けた状態の平面図
【図２】本発明の実施対象となる自動販売機全体の概要構成図
【図３】図２におけるキャビネットの庫内構造を表す正面図
【図４】図３における冷却ユニットの配管構造図であり、(a),(b) はそれぞれ側面図，および平面図
【符号の説明】
１    キャビネット
１ｂ  底壁
１ｃ  配管溝
７    冷却／加熱ユニット
８    冷却器
９    冷凍機のコンデンシングユニット
１０    冷媒パイプ
１１    ガスケット
１２    クッション部材
１２ａ  軟質クッション材
１２ｂ  半硬質クッション材
【図１】
0003932870.tif 000002
【図２】
0003932870.tif 000003
【図３】
0003932870.tif 000004
【図４】
0003932870.tif 000005